【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
表示装置に表示させる画像データを記憶する記憶手段と、
所定の水平同期の周波数に基づき第１のアスペクト比の画像データを表示する第１の表示装置、及び前記所定の水平同期の周波数に基づき前記第１のアスペクト比よりも横方向の比率が大きい第２のアスペクト比の画像データを表示する第２の表示装置の少なくとも一方の表示装置に接続され、供給されるクロック信号に基づき、前記記憶手段に記憶された画像データを読み出して前記表示装置に出力する表示制御手段と、
前記第１の表示装置に画像データを表示させる場合は第１の水平画素数のメモリ空間を前記記憶手段に確保するとともに前記表示制御手段に供給されるクロック信号の周波数を第１の周波数に設定し、前記第２の表示装置に画像データを表示させる場合は前記第１の水平画素数よりも多い第２の水平画素数のメモリ空間を前記記憶手段に確保するとともに前記表示制御手段に供給されるクロック信号の周波数を前記第１の周波数よりも大きい第２の周波数に設定する設定手段と、を有することを特徴とする表示制御装置。
【請求項２】
前記表示制御手段は、前記読み出した画像データにＯＳＤデータを重畳して前記表示装置に対して出力することを特徴とする請求項１に記載の表示制御装置。
【請求項３】
前記第１のアスペクト比は４：３であり、前記第２のアスペクト比は１６：９であることを特徴とする請求項１に記載の表示制御装置。
【請求項４】
前記第２の周波数は前記第１の周波数の２倍であることを特徴とする請求項１〜３のいずれか１項に記載の表示制御装置。
【請求項５】
前記第１の水平画素数と前記第２の水平画素数の比は、前記第１のアスペクト比と前記第２のアスペクト比との横方向に関する比と同一であることを特徴とする請求項１に記載の表示制御装置。
【請求項６】
供給されたクロック信号に基づき、記憶手段に記憶された画像データを読み出して表示装置に出力するよう制御する表示制御装置による表示制御方法であって、
所定の水平同期の周波数に基づき第１のアスペクト比の画像データを表示する第１の表示装置、及び前記所定の水平同期の周波数に基づき前記第１のアスペクト比よりも横方向の比率が大きい第２のアスペクト比の画像データを表示する第２の表示装置の、どちらの表示装置に画像データを表示させるかを判断する判断ステップと、
前記第１の表示装置に画像データを表示させると判断した場合は第１の水平画素数のメモリ空間を前記記憶手段に確保するとともに前記表示制御装置に供給されるクロック信号の周波数を第１の周波数に設定し、前記第２の表示装置に画像データを表示させると判断した場合は前記第１の水平画素数よりも多い第２の水平画素数のメモリ空間を前記記憶手段に確保するとともに前記表示制御装置に供給されるクロック信号の周波数を前記第１の周波数よりも大きい第２の周波数に設定する設定ステップと、を有することを特徴とする表示制御方法。
【請求項７】
供給されたクロック信号に基づき、記憶手段に記憶された画像データを読み出して表示装置に出力するよう制御する表示制御装置の設定方法を実行するためのプログラムであって、
所定の水平同期の周波数に基づき第１のアスペクト比の画像データを表示する第１の表示装置、及び前記所定の水平同期の周波数に基づき前記第１のアスペクト比よりも横方向の比率が大きい第２のアスペクト比の画像データを表示する第２の表示装置の、どちらの表示装置に画像データを表示させるかを判断する判断処理と、
前記第１の表示装置に画像データを表示させると判断した場合は第１の水平画素数のメモリ空間を前記記憶手段に確保するとともに前記表示制御装置に供給されるクロック信号の周波数を第１の周波数に設定し、前記第２の表示装置に画像データを表示させると判断した場合は前記第１の水平画素数よりも多い第２の水平画素数のメモリ空間を前記記憶手段に確保するとともに前記表示制御装置に供給されるクロック信号の周波数を前記第１の周波数よりも大きい第２の周波数に設定する設定処理とをコンピュータに実行させるためのプログラム。
【手続補正２】
【補正対象書類名】明細書
【補正対象項目名】発明の名称
【補正方法】変更
【補正の内容】
【発明の名称】表示制御装置、方法及びプログラム
【手続補正３】
【補正対象書類名】明細書
【補正対象項目名】０００１
【補正方法】変更
【補正の内容】
【０００１】
本発明は、アスペクト比が異なる表示装置に映像を表示するのに好適な表示制御装置、方法、及びプログラムに関する。
【手続補正４】
【補正対象書類名】明細書
【補正対象項目名】００１６
【補正方法】変更
【補正の内容】
【００１６】
本発明の表示制御装置は、表示装置に表示させる画像データを記憶する記憶手段と、所定の水平同期の周波数に基づき第１のアスペクト比の画像データを表示する第１の表示装置、及び前記所定の水平同期の周波数に基づき前記第１のアスペクト比よりも横方向の比率が大きい第２のアスペクト比の画像データを表示する第２の表示装置の少なくとも一方の表示装置に接続され、供給されるクロック信号に基づき、前記記憶手段に記憶された画像データを読み出して前記表示装置に出力する表示制御手段と、前記第１の表示装置に画像データを表示させる場合は第１の水平画素数のメモリ空間を前記記憶手段に確保するとともに前記表示制御手段に供給されるクロック信号の周波数を第１の周波数に設定し、前記第２の表示装置に画像データを表示させる場合は前記第１の水平画素数よりも多い第２の水平画素数のメモリ空間を前記記憶手段に確保するとともに前記表示制御手段に供給されるクロック信号の周波数を前記第１の周波数よりも大きい第２の周波数に設定する設定手段と、を有することを特徴とする。
【手続補正５】
【補正対象書類名】明細書
【補正対象項目名】００１８
【補正方法】変更
【補正の内容】
【００１８】
以下、添付図面を参照して、本発明の好適な実施形態について説明する。
図１は、本発明の実施形態に係る表示制御装置を含む撮像装置のブロック図である。この撮像装置は、デジタルカメラやデジタルビデオカメラ等、表示装置を内蔵するとともに外部のＴＶモニタに接続可能な装置である。
【手続補正６】
【補正対象書類名】明細書
【補正対象項目名】００２０
【補正方法】変更
【補正の内容】
【００２０】
１０３はメモリであり、画像データ、本発明でいう付加情報であるＯＳＤ（On Screen Display）データや各種制御データを一時的に記憶する。
【手続補正７】
【補正対象書類名】明細書
【補正対象項目名】００２１
【補正方法】変更
【補正の内容】
【００２１】
１０４は表示制御部であり、メモリ１０３に記憶されている画像データ及びＯＳＤデータから、ＬＣＤパネル１１６及びＴＶモニタ１１５に表示する映像信号を生成する。１０５はＲＯＭであり、ＯＳＤデータを生成するための文字やアイコン等のフォントデータを格納する。なお、ＲＯＭ１０５はフラッシュメモリでも構わない。
【手続補正８】
【補正対象書類名】明細書
【補正対象項目名】００２３
【補正方法】変更
【補正の内容】
【００２３】
１０８はクロックジェネレータであり、表示制御部１０４の動作クロックを生成する。
【手続補正９】
【補正対象書類名】明細書
【補正対象項目名】００２４
【補正方法】変更
【補正の内容】
【００２４】
表示制御部１０４は、表示用同期信号を発生させる表示タイミングジェネレータ１０９と、画像データにＯＳＤデータを重畳するＯＳＤ重畳回路１１０と、ＴＶエンコーダ１１１と、ＬＣＤエンコーダ１１２とを含む。